(57)【要約】生体組織採取器具は、先端部に生体組織を採取する採取部を有し、前記採取部で採取された組織を吸引する吸引機構を基端部に有する中空の管路を備えている。前記管路の内周面の少なくとも一部には、内方に向かって突出した凸部を有する。【特許請求の範囲】
【請求項１】
生体組織を採取する採取部を有する先端部と、前記採取部で採取された組織を吸引する吸引機構を有する基端部とを有する中空の管路を具備し、
前記管路は、内方に向かって突出した凸部を内周面の少なくとも一部に有することを特徴とする生体組織採取器具。
【請求項２】
前記凸部は、前記管路の内部に不均一に複数形成されていることを特徴とする請求項１に記載の生体組織採取器具。
【請求項３】
前記管路の内径は、前記凸部によって不均一に形成されていることを特徴とする請求項１もしくは請求項２に記載の生体組織採取器具。
【請求項４】
前記凸部は、それぞれ独立して複数形成されていることを特徴とする請求項１ないし請求項３のいずれか１に記載の生体組織採取器具。
【請求項５】
前記凸部は、少なくとも一部が連続した状態に形成されていることを特徴とする請求項１ないし請求項３のいずれか１に記載の生体組織採取器具。
【請求項６】
前記凸部は、前記管路の外部からの圧力印加により形成されていることを特徴とする請求項１ないし請求項５のいずれか１に記載の生体組織採取器具。
【請求項７】
前記吸引機構は、前記採取部から採取した生体組織を溜めることが可能な吸引腔部を備えていることを特徴とする請求項１ないし請求項６のいずれか１に記載の生体組織採取器具。
【請求項８】
前記吸引腔部には、前記採取部から採取した生体組織に混合される溶液が溜められていることを特徴とする請求項７に記載の生体組織採取器具。
【請求項９】
前記吸引機構は、前記管路の基端部と前記吸引腔部との間に、前記採取部から採取した生体組織を保管可能な容器を着脱可能に備えていることを特徴とする請求項７もしくは請求項８に記載の生体組織採取器具。
【請求項１０】
前記容器には、前記採取部から採取した生体組織に混合される溶液が溜められていることを特徴とする請求項９に記載の生体組織採取器具。
【請求項１１】
前記吸引機構は、前記採取部と前記吸引腔部との間を連通させる連通状態と、前記採取部と前記吸引腔部との間を遮断する遮断状態とに切替可能で、前記遮断状態のときに前記吸引腔部に連通した流路を有する弁機構を、前記管路の基端部と前記吸引腔部との間に備えていることを特徴とする請求項７もしくは請求項８に記載の生体組織採取器具。
【請求項１２】
前記弁機構の前記流路の端部には、前記採取部から採取した生体組織を保管可能な容器が配設されていることを特徴とする請求項１１に記載の生体組織採取器具。
【請求項１３】
前記弁機構には、前記流路に選択的に連通される複数の連通路を有し、それぞれ生体組織を保管可能な容器を前記連通路に着脱可能な流路切替機構が配設されていることを特徴とする請求項１１に記載の生体組織採取器具。
【請求項１４】
前記管路および前記吸引機構の少なくとも一方には、前記採取部から採取した生体組織の一部を捕捉するフィルターが配設されていることを特徴とする請求項１ないし請求項１３のいずれか１に記載の生体組織採取器具。
【請求項１５】
前記フィルターには、前記採取部側に面して生体組織親和性化合物が取着されていることを特徴とする請求項１４に記載の生体組織採取器具。
【請求項１６】
前記管路および前記吸引機構の少なくとも一方には、
生体組織親和性化合物を外表面に有する磁気ビーズと、
前記磁気ビーズに磁力を与える磁石および電磁石の少なくとも一方と
が配設されていることを特徴とする請求項１ないし請求項１３のいずれか１に記載の生体組織採取器具。
【請求項１７】
前記生体組織親和性化合物は、ガン細胞認識抗体であることを特徴とする請求項１５もしくは請求項１６に記載の生体組織採取器具。
【請求項１８】
前記吸引機構には、前記採取部から採取した生体組織を冷却する冷却機構が接続されていることを特徴とする請求項１ないし請求項１７のいずれか１に記載の生体組織採取器具。
【請求項１９】
前記採取部は、生体組織に穿刺される中空の穿刺針を備えていることを特徴とする請求項１ないし請求項１８のいずれか１に記載の生体組織採取器具。
【請求項２０】
前記管路の外周面は、硬質に形成されていることを特徴とする請求項１９に記載の生体組織採取器具。
【請求項２１】
前記管路は、可撓性を有することを特徴とする請求項１９に記載の生体組織採取器具。
【請求項２２】
前記採取部は、生体組織を把持する開閉可能な鉗子を備えていることを特徴とする請求項１ないし請求項１９のいずれか１に記載の生体組織採取器具。
【請求項２３】
前記管路は、可撓性を有することを特徴とする請求項２２に記載の生体組織採取器具。
【請求項２４】
その軸方向に沿って処置具挿通チャンネルを有する細長い挿入部と、
この挿入部の基端部に配設され、前記挿入部を操作する操作部と
を有する内視鏡と、
前記処置具挿通チャンネルに対して挿脱可能な外径を有し、内周面の少なくとも一部に内方に向かって突出した凸部を有し、前記処置具挿通チャンネルの長さよりも長く形成された中空の管路と、
前記処置具挿通チャンネルに対して挿脱可能に前記管路の先端部に設けられ、生体組織を採取する採取部と、
前記管路の基端部に設けられ、前記採取部で採取された生体組織を吸引する吸引機構と
を有する生体組織採取器具と
を具備することを特徴とする内視鏡システム。
【請求項２５】
前記凸部は、前記管路の内部に不均一に複数形成されていることを特徴とする請求項２４に記載の内視鏡システム。
【請求項２６】
前記管路の内径は、前記凸部によって不均一に形成されていることを特徴とする請求項２４もしくは請求項２５に記載の内視鏡システム。
【請求項２７】
前記凸部は、それぞれ独立して複数形成されていることを特徴とする請求項２４ないし請求項２６のいずれか１に記載の内視鏡システム。
【請求項２８】
前記凸部は、少なくとも一部が連続した状態に形成されていることを特徴とする請求項２４ないし請求項２６のいずれか１に記載の内視鏡システム。
【請求項２９】
前記吸引機構には、前記採取部から採取した生体組織に混合される溶液が溜められていることを特徴とする請求項２４ないし請求項２８のいずれか１に記載の内視鏡システム。
【請求項３０】
前記吸引機構は、前記採取部から採取した生体組織を保管可能であるとともに、前記溶液を溜める容器と、この容器と連通される状態と遮断される状態とに切り替え可能な吸引部とを備えていることを特徴とする請求項２９に記載の内視鏡システム。
【請求項３１】
前記吸引機構は、
前記採取部から採取した生体組織を溜めることが可能な吸引腔部と、
前記管路の基端部と前記吸引腔部との間に配設され、前記採取部と前記吸引腔部とを連通させる連通状態と、前記採取部と前記吸引腔部との間を遮断する遮断状態とに切替可能で、前記遮断状態のときに前記吸引腔部に連通した流路を有する弁機構と
を備えていることを特徴とする請求項２４ないし請求項２９のいずれか１に記載の内視鏡システム。
【請求項３２】
前記採取部は、生体組織に穿刺される中空の穿刺針を備えていることを特徴とする請求項２４ないし請求項３１のいずれか１に記載の内視鏡システム。
【請求項３３】
前記採取部は、生体内の導管に挿入可能なチューブを備えていることを特徴とする請求項２４ないし請求項３１のいずれか１に記載の内視鏡システム。
【請求項３４】
前記採取部は、生体組織を把持する開閉可能な鉗子を備え、
前記管路は、前記鉗子と連結されて前記鉗子を開閉させる開閉機構を基端部に備えていることを特徴とする請求項２４ないし請求項３１のいずれか１に記載の内視鏡システム。
【請求項３５】
先端部に生体組織を採取する採取部を有し、前記採取部で採取された組織を吸引する吸引機構を基端部に有する中空の管路を備え、
前記管路の内周面の少なくとも一部に、内方に向かって突出した凸部を有する生体組織採取器具を用いた生体組織採取方法であって、
前記採取部で採取した生体組織を前記管路の凸部に衝突させながら吸引して生体組織を破砕することと、
前記吸引機構に、前記凸部に衝突させて破砕した生体組織を溜めることと
を具備することを特徴とする生体組織採取方法。
【請求項３６】
先端部に生体組織を採取する採取部を有し、前記採取部で採取された組織を吸引する吸引機構を基端部に有する中空の管路を備え、
前記管路の内周面の少なくとも一部に、内方に向かって突出した凸部を有し、
前記管路の基端部と、前記吸引機構との間に前記採取部から採取した生体組織を保管する容器が配設された生体組織採取器具を用いた生体組織採取方法であって、
前記採取部で採取した生体組織を前記管路の凸部に衝突させながら吸引して生体組織を破砕することと、
前記容器に、前記破砕した生体組織を溜めることと、
前記容器を前記管路の基端部と前記吸引機構との間から取り外すことと
を具備することを特徴とする生体組織採取方法。
【請求項３７】
先端部に生体組織を採取する採取部を有し、前記採取部で採取された組織を吸引する吸引機構を基端部に有する中空の管路を備え、
前記管路の内周面の少なくとも一部に、内方に向かって突出した凸部を有し、
前記管路の基端部と、前記吸引機構との間に前記採取部から採取した生体組織を保管する容器が配設され、
前記管路の基端部と前記吸引腔部との間には、前記採取部と前記吸引腔部との間を連通させる連通状態と、前記採取部と前記吸引腔部との間を遮断する遮断状態とに切替可能で、前記遮断状態のときに前記吸引腔部に連通した流路を有する弁機構が配設された生体組織採取器具を用いた生体組織採取方法であって、
前記採取部で採取した生体組織を前記管路の凸部に衝突させながら吸引して生体組織を破砕することと、
前記吸引機構に、前記破砕した生体組織を一時的に溜めることと、
前記弁機構を前記容器の内部と前記吸引機構とを連通させる状態に切り替えることと、
前記吸引機構から生体組織を前記弁機構を通して前記容器に吐出することと、
前記容器を取り外すことと
を具備することを特徴とする生体組織採取方法。
【請求項３８】
前記採取部で採取した生体組織を前記管路の凸部に衝突させながら吸引して生体組織を破砕することは、内視鏡の処置具挿通チャンネルの先端から前記採取部を突出させることを予め含むことを特徴とする請求項３５ないし請求項３７のいずれか１に記載の生体組織採取方法。
【発明の詳細な説明】
【技術分野】
【０００１】  本発明は、経皮的や経内視鏡的に生体組織を採取する生体組織採取器具、内視鏡システムおよび生体組織採取方法に関する。
【背景技術】
【０００２】  生体組織を採取して病理検査や生化学分析、ゲノム解析等をすることが一般的に行なわれている。この種の生体組織のサンプリングには例えば特開２００１−２７５９４７号公報や特表２０００−５１６８３２号公報に開示されているような器具が使用されている。【０００３】  特開２００１−２７５９４７号公報においては、内視鏡用の中空の穿刺針を先端部に有する吸引管路が内視鏡の処置具挿通チャンネルを通して生体内に挿入される。この内視鏡用穿刺針は、内視鏡による観察下で目的の生体組織に突き刺した状態でその生体組織が吸引されて採取される。このような内視鏡用穿刺針を用いて採取された生体組織は、内視鏡検査室とは別の検査場所に搬送されて病理診断などの検査や生化学分析、ゲノム解析等が行なわれる。【０００４】  特表２０００−５１６８３２号公報には、内視鏡とともに使用する生検鉗子器具が開示されている。この生検鉗子器具は、吸引管路の先端部に鉗子部が配設されている。このため、内視鏡の処置具挿通チャンネルの先端から突出された鉗子部で採取した生体組織を吸引管路の先端部から基端部に向かって吸引することができる。【０００５】  また、特開２００１−１２４７６７号公報には、屈曲部を有するシリンジの流路を往復させて生体組織の細胞膜を破壊する方法が開示されている。このように細胞を破壊して、容易に染色体を取り出すことができる。【０００６】  特開２００１−２７５９４７号公報および特表２０００−５１６８３２号公報に開示された器具では、生体試料を採取してから次の処理に移行するまでに時間がかかる。特に、核酸抽出のための生体組織の破砕や抽出した核酸の安定化等の処理を行なうまでに時間がかかる。そのため、採取した生体組織が劣化するおそれがあり、正確な診断を行なうことが難しい。さらに、生体組織を例えば薬剤処理するためには、他の容器に移し替えることが必要であり、その処理の途中で生体組織へのコンタミネーションや、逆に生体組織から外部環境への汚染が生じる可能性がある。【０００７】  また、生体組織の採取が術中であるので、採取した後に処理するための時間的、人的、場所的な余裕が乏しい。このため、採取した生体組織を簡便かつ迅速に破砕して核酸等を抽出し、かつ、その核酸を安定化させることが望まれている。【０００８】  また、特開２００１−１２４７６７号公報に開示された器具では、シリンジに屈曲部を有する。このため、特に内視鏡の処置具挿通チャンネルに挿通させる場合など、処置具挿通チャンネルの径が屈曲部の屈曲長さに合わせて大きく形成されていることを要する。したがって、内視鏡のチャンネルの径によっては経内視鏡的に生体組織を採取することが困難な場合がある。
【発明の開示】
【０００９】  この発明は、このような課題を解決するためになされたもので、その目的とするところは、採取した生体組織を簡便かつ迅速に破砕し得、例えば病理検査や生化学分析、ゲノム解析等を行なう準備時間の短縮を図ることができる生体組織採取器具、内視鏡システムおよび生体組織採取方法を提供することにある。
【００１０】  本発明による一態様である生体組織採取器具は、先端部に生体組織を採取する採取部を有し、前記採取部で採取された組織を吸引する吸引機構を基端部に有する中空の管路を備えている。前記管路の内周面の少なくとも一部には、内方に向かって突出した凸部を備えている。
このような構成を有するので、採取部で採取した生体組織が管路を通して吸引される際に凸部に衝突して破砕される。このため、採取した生体組織を簡便かつ迅速に破砕し得、例えば病理検査や生化学分析、ゲノム解析等を行なう準備時間の短縮を図ることができる。
【００１１】  また、好ましくは、前記凸部は、前記管路の内部に不均一に複数形成されている。
凸部は、管路の内周面に例えばランダムな位置にランダムな大きさに形成されているので、生体組織が管路の先端部から基端部に向かうにつれて確実に破砕される。
【００１２】  また、好ましくは、前記管路の内径は、前記凸部によって不均一に形成されている。
このため、管路の内径および外径自体を変形させて成型しても良く、管路の内周面だけを変形させても良い。
【００１３】  また、好ましくは、前記凸部は、それぞれ独立して複数形成されている。
このため、凸部をランダムな位置にランダムな大きさに成型し易い。
【００１４】  また、好ましくは、前記凸部は、少なくとも一部が連続した状態に形成されている。
このため、例えば雌ネジを作製するように作製すれば良いので凸部を成型し易い。
【００１５】  また、好ましくは、前記凸部は、前記管路の外部からの圧力印加により形成されている。
このため、管路の成型が容易である。
【００１６】  また、好ましくは、前記吸引機構は、前記採取部から採取した生体組織を溜めることが可能な吸引腔部を備えている。
このため、吸引によって破砕した生体組織を別の容器を用いることなく溜めることができる。
【００１７】  また、好ましくは、前記吸引腔部には、前記採取部から採取した生体組織に混合される溶液が溜められている。
このため、破砕した生体組織と溶液とが混合されて生体組織の劣化を遅らせることができる。また、この溶液を試薬としても使用することができる。
【００１８】  また、好ましくは、前記吸引機構は、前記管路の基端部と前記吸引腔部との間に、前記採取部から採取した生体組織を保管可能な容器を着脱可能に備えている。
このため、吸引によって破砕した生体組織をその容器内に溜めることができる。また、容器を流路から取り外すことによって、例えば病理検査や生化学分析、ゲノム解析等を行なうための搬送が容易である。
【００１９】  また、好ましくは、前記容器には、前記採取部から採取した生体組織に混合される溶液が溜められている。
このため、破砕した生体組織と溶液とが混合されて生体組織の劣化を遅らせることができる。また、この溶液を試薬としても使用することができる。
【００２０】  また、好ましくは、前記吸引機構は、前記採取部と前記吸引腔部との間を連通させる連通状態と、前記採取部と前記吸引腔部との間を遮断する遮断状態とに切替可能で、前記遮断状態のときに前記吸引腔部に連通した流路を有する弁機構を、前記管路の基端部と前記吸引腔部との間に備えている。
このため、破砕した生体組織を一旦吸引腔部に溜めた後、弁機構を操作して流路を通してその生体組織を吐出することができる。
【００２１】  また、好ましくは、前記弁機構の前記流路の端部には、前記採取部から採取した生体組織を保管可能な容器が配設されている。
このため、流路から吐出される生体組織を受けることができる。また、容器を流路から取り外すことによって、例えば病理検査や生化学分析、ゲノム解析等を行なうための搬送が容易である。
【００２２】  また、好ましくは、前記弁機構には、前記流路に選択的に連通される複数の連通路を有し、それぞれ生体組織を保管可能な容器を前記連通路に着脱可能な流路切替機構が配設されている。
このため、一旦吸引腔部に溜められた生体組織を複数に分離することができる。また、異なる部位の生体組織をそれぞれ異なる容器に吐出することができる。
【００２３】  また、好ましくは、前記管路および前記吸引機構の少なくとも一方には、前記採取部から採取した生体組織の一部を捕捉するフィルターが配設されている。
例えばフィルターにはＲＮＡ安定化剤を染み込ませることができる。このため、フィルターに捕獲された細胞内の核酸が捕獲時に迅速に安定化される。
【００２４】  また、好ましくは、前記フィルターには、前記採取部側に面して生体組織親和性化合物が取着されている。
このため、生体組織の吸引時に、生体組織の特定の細胞等がフィルターに付着される。
【００２５】  また、好ましくは、前記管路および前記吸引機構の少なくとも一方には、生体組織親和性化合物を外表面に有する磁気ビーズと、前記磁気ビーズに磁力を与える磁石および電磁石の少なくとも一方とが配設されている。
このため、生体組織の吸引時に、生体組織の特定の細胞等が磁気ビーズに付着される。
【００２６】  また、好ましくは、前記生体組織親和性化合物は、ガン細胞認識抗体である。
このため、生体組織の吸引時には、上記フィルターや磁気ビーズにガン細胞が残り、他の細胞は、例えば吸引腔部などに溜められる。
【００２７】  また、好ましくは、前記吸引機構には、前記採取部から採取した生体組織を冷却する冷却機構が接続されている。
このため、破砕した生体組織の劣化を防止することができる。
【００２８】  また、好ましくは、前記採取部は、生体組織に穿刺される中空の穿刺針を備えている。
中空の穿刺針を穿刺した状態で吸引することによって、生体組織を穿刺針の内側、管路の内側を通して生体組織を破砕することができる。
【００２９】  また、好ましくは、前記管路の外周面は、硬質に形成されている。
このため、例えば経皮的に生体組織を採取することが容易である。
【００３０】  また、好ましくは、前記管路は、可撓性を有する。
このため、例えば経内視鏡的に生体組織を採取することが容易である。
【００３１】  また、好ましくは、前記採取部は、生体組織を把持する開閉可能な鉗子を備えている。
このため、鉗子によって採取した生体組織を吸引することによって、生体組織を破砕することができる。また、穿刺針と鉗子とを組み合わせることによって、所望の生体組織をより確実に採取することができる。
【００３２】  本発明の一態様である内視鏡システムは、内視鏡と生体組織採取器具とを備えている。内視鏡は、その軸方向に沿って処置具挿通チャンネルを有する細長い挿入部と、この挿入部の基端部に配設され、前記挿入部を操作する操作部とを備えている。生体組織採取器具は、前記処置具挿通チャンネルに対して挿脱可能な外径を有し、内周面の少なくとも一部に内方に向かって突出した凸部を有し、前記処置具挿通チャンネルの長さよりも長く形成された中空の管路と、前記処置具挿通チャンネルに対して挿脱可能に前記管路の先端部に設けられ、生体組織を採取する採取部と、前記管路の基端部に設けられ、前記採取部で採取された生体組織を吸引する吸引機構とを備えている。
このような構成を有するので、内視鏡と生体組織採取器具とを組み合わせて使用することができる。生体組織採取器具を用いて生体組織を採取して吸引すると、生体組織を破砕することができる。
【００３３】  また、好ましくは、前記吸引機構は、前記採取部から採取した生体組織を保管可能であるとともに、溶液を溜める容器と、この容器と連通される状態と遮断される状態とに切り替え可能な吸引部とを備えている。
このため、吸引機構を用いて生体組織を吸引すると、吸引部で吸引した破砕された生体組織を、容器に溜めることができる。このとき、吸引部が容器と連通される状態と遮断される状態とに切り替えることができるので、容器を着脱することができる。また、容器に溶液が溜められていることによって、破砕した生体組織と溶液とが混合されて生体組織の劣化を遅らせることができる。また、溶液を試薬としても使用することができる。
【００３４】  また、好ましくは、前記吸引機構は、前記採取部から採取した生体組織を溜めることが可能な吸引腔部と、前記管路の基端部と前記吸引腔部との間に配設され、前記採取部と前記吸引腔部とを連通させる連通状態と、前記採取部と前記吸引腔部との間を遮断する遮断状態とに切替可能で、前記遮断状態のときに前記吸引腔部に連通した流路を有する弁機構とを備えている。
このため、吸引によって破砕した生体組織を別の容器を用いることなく溜めることができる。このように、破砕した生体組織を一旦吸引腔部に溜めた後、弁機構を操作して流路を通してその生体組織を吐出することができる。
【００３５】  また、好ましくは、前記採取部は、生体組織に穿刺される中空の穿刺針を備えている。
中空の穿刺針を穿刺した状態で吸引することによって、生体組織を穿刺針の内側、管路の内側を通して生体組織を破砕することができる。このため、経内視鏡的に生体組織を採取することが容易である。
【００３６】  また、好ましくは、前記採取部は、生体内の導管に挿入可能なチューブを備えている。
このため、生体内の導管（例えば、膵管、胆管等）に挿入して使用する場合、生体内の導管から分泌液を採取し、さらに、フィルターなどを用いることにより分泌液から剥離組織や細胞を分離して、その後の検査を行なうことができる。
【００３７】  また、好ましくは、前記採取部は、生体組織を把持する開閉可能な鉗子を備えている。前記管路は、前記鉗子と連結されて前記鉗子を開閉させる開閉機構を基端部に備えている。
このため、鉗子を開閉機構を操作して把持することによって採取した生体組織を吸引することによって、生体組織を破砕することができる。また、穿刺針と鉗子とを組み合わせることによって、所望の生体組織をより確実に採取することができる。
【００３８】  本発明の一態様である生体組織採取方法は、生体組織採取器具を用いる。前記採取部で採取した生体組織を前記管路の凸部に衝突させながら吸引することと、前記吸引機構に、前記凸部に衝突させて破砕した生体組織を溜めることとを備えている。
このため、採取部で採取した生体組織を、破砕した状態で吸引機構に溜めることができる。経皮的に生体処置を採取する場合も同様である。
【００３９】  本発明による他の一態様である生体組織採取方法は、生体組織採取器具を用いる。前記採取部で採取した生体組織を前記管路の凸部に衝突させながら吸引して生体組織を破砕することと、前記容器に、前記破砕した生体組織を溜めることと、前記容器を前記管路の基端部と前記吸引機構との間から取り外すこととを備えている。
このため、採取部で採取した生体組織を、破砕した状態で容器に溜めることができる。この容器を生体組織採取器具から分離することによって、破砕した生体組織の解析等を容易に行なうことができる。経皮的に生体処置を採取する場合も同様である。
【００４０】  本発明によるさらに他の一態様である生体組織採取方法は、前記採取部で採取した生体組織を前記管路の凸部に衝突させながら吸引して生体組織を破砕することと、前記吸引機構に、前記破砕した生体組織を一時的に溜めることと、前記弁機構を前記容器の内部と前記吸引機構とを連通させる状態に切り替えることと、前記吸引機構から生体組織を前記弁機構を通して前記容器に吐出することと、前記容器を取り外すこととを備えている。
このため、弁機構を連通状態にして採取部で採取した生体組織を、破砕した状態で吸引機構に溜めることができる。この状態で弁機構を遮断状態に切り替えて、生体組織を弁機構を通して容器に吐出することができる。経皮的に生体処置を採取する場合も同様である。
【００４１】  また、好ましくは、前記採取部で採取した生体組織を前記管路の凸部に衝突させながら吸引して生体組織を破砕する工程は、内視鏡の処置具挿通チャンネルの先端から前記採取部を突出させる工程を予め含む。
このため、生体組織を採取する際に、経内視鏡的に行なうことができる。
【図面の簡単な説明】
【００４２】
【図１】図１は、第１の実施の形態に係る内視鏡システムを示す概略的な斜視図である。
【図２】図２は、第１の実施の形態に係る内視鏡システムに用いられる生体組織採取器具を示す概略的な斜視図である。
【図３】図３は、第１の実施の形態に係る生体組織採取器具のうちの生体組織を採取する針状の採取部および管路の先端部を示す概略的な斜視図である。
【図４】図４は、第１の実施の形態に係る生体組織採取器具の管路の概略的な縦断面図である。
【図５Ａ】図５Ａは、第１の実施の形態に係る生体組織採取器具のうちの生体組織を採取する鉗子状の採取部を示す概略的な断面図である。
【図５Ｂ】図５Ｂは、第１の実施の形態に係る生体組織採取器具のうちの生体組織を採取する鉗子状の採取部を示す概略的な断面図である。
【図６】図６は、第２の実施の形態に係る生体組織採取器具を示す概略図である。
【図７】図７は、第３の実施の形態に係る生体組織採取器具における管路の基端部および吸引機構を示す概略図である。
【図８】図８は、第４の実施の形態に係る生体組織採取器具における管路の基端部および吸引機構を示す概略図である。
【図９Ａ】図９Ａは、第５の実施の形態に係る生体組織採取器具における管路の基端部および吸引機構を示す概略図である。
【図９Ｂ】図９Ｂは、第５の実施の形態に係る生体組織採取器具における管路の基端部に配設された弁機構を示す概略図である。
【図１０】図１０は、第６の実施の形態に係る生体組織採取器具における管路の基端部および吸引機構を示す概略図である。
【図１１】図１１は、第７の実施の形態に係る生体組織採取器具における管路の基端部および吸引機構を示す概略図である。
【図１２】図１２は、第８の実施の形態に係る生体組織採取器具における管路の基端部および吸引機構を示す概略図である。
【図１３】図１３は、第９の実施の形態に係る生体組織採取器具における管路の基端部および吸引機構を示す概略図である。
【図１４】図１４は、第１０の実施の形態に係る生体組織採取器具における管路の基端部および吸引機構を示す概略図である。
【図１５Ａ】図１５Ａは、第１１の実施の形態に係る生体組織採取器具における管路の連続した凸部を示す概略的な縦断面図である。
【図１５Ｂ】図１５Ｂは、第１１の実施の形態に係る生体組織採取器具における管路がところどころ圧搾されて凸部と凹部とが形成されたことを示す概略的な縦断面図である。
【発明を実施するための最良の形態】
【００４３】  以下、図面を参照しながらこの発明を実施するための最良の形態（以下、実施の形態という）について説明する。【００４４】  まず、第１の実施の形態について図１ないし図５Ｂを用いて説明する。
図１に示すように、この実施の形態に係る内視鏡システム１０は、内視鏡１２と、この内視鏡１２と組み合わせて使用される生体組織採取器具１４とを備えている。ここで、この実施の形態における生体組織とは、通常の組織部以外に腫瘤、のう胞、および体腔液（例えば、腹腔液、胸腔液、膵液、胆汁液等）中の剥離組織および細胞を含むものである。【００４５】  内視鏡１２は、体腔内に挿入可能な細長い挿入部２２と、この挿入部２２の基端部に設けられ、操作者に保持されて操作される操作部２４とを備えている。
挿入部２２は、可撓性を有する可撓管部２６と、湾曲可能な湾曲部２８と、硬質の先端硬性部３０とを備えている。可撓管部２６の基端部は操作部２４に連結されている。湾曲部２８は可撓管部２６の先端部に設けられている。先端硬性部３０は、湾曲部２８の先端部に配設されている。【００４６】  先端硬性部３０には、共に図示しないが、照明光学系と対物光学系とが並設されている。照明光学系は、後述するコントローラー４２に内蔵された光源から導光される照明光を観察対象に向けて出射する。対物光学系は、出射された照明光によって照明された観察対象の光学像を取り込んで、コントローラー４２に向けてその光学像を伝達する。【００４７】  照明光学系は、挿入部２２の長手軸に対して異なる方向に照明光を出射する。対物光学系は、照明光によって照明された部位の像を取り込むように、照明光と同じ方向に光軸を備えている。すなわち、これら照明光学系および対物光学系は、挿入部２２の長手軸に対して異なる方向を観察するように形成されている。このため、この実施の形態に係る内視鏡１２は、いわゆる斜視型や側視型である。ここでは内視鏡１２として側視型を用いて説明するが、いわゆる斜視型や直視型を用いても何等問題はない。【００４８】  挿入部２２は、その軸方向に沿って図示しない処置具挿通チャンネルを備えている。この処置具挿通チャンネルは、照明光学系と対物光学系とに並設されている。この処置具挿通チャンネルの先端部には、処置具挿通チャンネルを挿通する細長い処置具を係止する鉗子起上台（図示せず）が配設されている。このため、生体組織採取器具１４の後述する管路５２を所望の位置で係止して固定可能である。一方、処置具挿通チャンネルの基端部には鉗子栓３２が配設されている。この鉗子栓３２は、挿入部２２の基端部に配設されている。【００４９】  湾曲部２８には図示しない湾曲操作ワイヤの先端部が連結されている。この湾曲操作ワイヤの基端部は、可撓管部２６を通して操作部２４の後述する湾曲操作ノブ３６に連結されている。【００５０】  一方、操作部２４は、挿入部２２の湾曲部２８を湾曲操作する湾曲操作ノブ３６や、挿入部２２の先端部から送気や送水を行なう送気・送水スイッチ等のスイッチ類３８を備えている。操作部２４には、ユニバーサルケーブル４０の一端部が装着されている。このユニバーサルケーブル４０の他端部には、コントローラー４２が配設されている。このコントローラー４２には、挿入部２２の先端硬性部３０に設けられた照明光学系に向かって光を供給する光源が内蔵され、かつ、挿入部２２の先端硬性部３０に配設された対物光学系で取り込まれた光学像を取得する。【００５１】  図２に示すように、生体組織採取器具１４は、可撓性を有する中空の管路５２と、この管路５２の先端部に形成され、生体組織を採取する採取部５４と、管路５２の基端部に配設された吸引機構（吸引部）５６とを備えている。この吸引機構５６は、外筒となるバレル（吸引腔部）６２と、内筒となるプランジャ６４とを備えている。プランジャ６４の先端部の外周面は、バレル６２の内周面と密着するように形成されている。バレル６２の先端は、管路５２の基端部に接続されている。管路５２とバレル６２とのそれぞれの内部は、連通されている。このため、バレル６２に対してプランジャ６４を押し込んだ状態からバレル６２に対してプランジャ６４を手元側に引くと、管路５２の内部の空気がバレル６２の内部（吸引腔部）に引き込まれる。【００５２】  図３に示すように、採取部５４は、中空の穿刺針として形成されている。このように、採取部５４が穿刺針のときは、組織を採取する場合や、体腔に穿刺し、体腔液（例えば、腹腔液、胸腔液、膵液、胆汁液等）中の剥離組織や細胞を採取する場合に用いることが好ましい。【００５３】  管路５２と採取部５４とは略一体的に形成されている。すなわち、管路５２と採取部５４との間の明確な境界は存在しない。このときの管路５２と採取部５４とを合わせた管状体の長さは、処置具挿通チャンネルの長さよりも十分に長く形成されている。この採取部５４の外径は、例えば０．７ｍｍ（注射針の規格２２Ｇに相当）である。採取部５４および管路５２の最大内径は共に０．３ｍｍである。採取部５４および管路５２に使用される材質については特に制限は無いが、生体内に挿入するので、腐食等に強い材質である必要がある。例えばステンレス鋼材、耐食性樹脂材などが用いられることが好適であるが、特にステンレス鋼材を用いることが好適である。【００５４】  図４に示すように、管路５２は、その内壁部に１つ以上有していれば良いが、好ましくは多数の凸部７０をランダムな位置に備えている。この実施の形態に係る管路５２の凸部７０は、管路５２と採取部５４とを合わせた管状体の長さが例えば１５５０ｍｍであるのに対して４８個形成されている。もちろん、このような凸部７０の数は管路５２の長さや径、さらには凸部７０自体の大きさや突出度合等の形状によって適宜に変化する。【００５５】  これら凸部７０は、例えば略球形や略俵形を適当な平面で切断したときに形成される略半球状のような形状を有する。このような凸部７０の高さは、内壁面に対して例えば０．１５ｍｍ程度であり、その凸部７０の長径は０．５ｍｍ程度であり、短径は０．２ｍｍ程度であることが好ましい。このように、多数の凸部７０を有する場合、管路５２の内径は、凸部７０がランダムに設けられ、かつ、各凸部７０の形状が不均一である。このため、管路５２の内腔は不均一に形成されている。凸部７０の形状はこのような形状に限ることはなく、管路５２を閉塞することがないような形状を有し、生体組織を通すときにその組織を破砕可能に形成されていれば良い。【００５６】  なお、管路５２の内壁部に凸部７０を製作する方法については制限がないが、例えば管路５２の外部から先端形状を整えた針状の治具（図示せず）で突いて製作する。この方法は管路５２の先端部に採取部５４として穿刺針（中空針）を形成した後にその管路５２を加工可能であるので、成型が容易であり、コスト的に有利である。【００５７】  次に、この実施の形態に係る内視鏡システム１０の作用について説明する。
内視鏡１２の挿入部２２の先端硬性部３０を体腔内の生体組織の採取したい部位の近傍まで挿入する。このとき、内視鏡１２全体を挿入部２２の軸回りに回動させて挿入部２２を回転させたり、内視鏡１２の操作部２４の湾曲操作ノブ３６を操作して挿入部２２の湾曲部２８を湾曲させたりする。このようにして、採取したい生体組織の光学像を、挿入部２２の先端硬性部３０の対物光学系に取り込む。このため、所望の生体組織の光学像がコントローラー４２を通して操作者に観察される。【００５８】  この後、挿入部２２の基端部に設けられた鉗子栓３２から処置具挿通チャンネルを通して生体組織採取器具１４を導入する。
このとき、処置具挿通チャンネルの先端部で生体組織採取器具１４の管路５２の適当な部位を鉗子起上台を用いて係止する。この状態で内視鏡１２の挿入部２２ごと生体組織に向かって移動させて採取部５４を生体組織に穿刺する。なお、鉗子栓３２から外部の手元側に延出された生体組織採取器具１４の管路５２の基端部を操作者が保持しながら処置具挿通チャンネルに対して進退させて採取部５４を生体組織に穿刺しても良い。この場合、鉗子起上台による係止は解除されている。【００５９】  採取部５４を生体組織に穿刺した状態で吸引機構５６のプランジャ６４をバレル６２に対して手元側に引く。すると、採取部５４の穿刺針の内腔、および管路５２の内腔を通して生体組織が吸引される。このとき採取される生体組織は、管路５２の先端部から基端部に向かって移動する際に管路５２の内壁面に設けられた凸部７０に多数回衝突して破砕される。生体組織は、凸部７０に多数回衝突することによって細胞レベルまで分解される。分解された生体組織は管路５２の内腔や吸引機構５６のバレル６２の内腔（吸引腔部）に保持される。【００６０】  生体組織採取器具１４を内視鏡１２の挿入部２２ごと生体組織から引き抜く。このため、生体組織採取器具１４の採取部５４が生体組織に穿刺された状態が解除される。【００６１】  なお、内視鏡１２の挿入部２２を動かないように保持しながら鉗子起上台による生体組織採取器具１４の管路５２の係止状態を解除して処置具挿通チャンネルに対して生体組織採取器具１４を進退させても良い。そうすると、生体組織採取器具１４の採取部５４が生体組織に穿刺された状態が解除される。【００６２】  分解された生体組織が管路５２の内腔や吸引機構５６のバレル６２の内腔に保持されたままの状態で、生体組織採取器具１４を処置具挿通チャンネルから引き抜く。分解された生体組織を生体組織採取器具１４から取り出して搬送し、病理診断などの検査や生化学分析、ゲノム解析等を行なう。【００６３】  以上説明したように、この実施の形態によれば、以下のことが言える。
生体組織採取器具１４の管路５２の内壁部に多数の凸部７０を設けたので、採取した生体組織が吸引時に凸部７０に多数回衝突して破砕され、最終的には細胞レベルまで分解される。このため、病理診断などの検査や生化学分析、ゲノム解析等を行なう際の核酸抽出処理前の生体組織の破砕処理を行なう手間を省くことができる。したがって、病理診断などの検査や生化学分析、ゲノム解析等を行なう準備時間の短縮を図ることができる。また、そのための装置が不要となる一方、管路５２を容易に成型することができるので、経済的利点が大きい。【００６４】  なお、この実施の形態では採取部５４には穿刺針を用いることについて説明した。その他、図５Ａおよび図５Ｂに示すように、採取部５４に鉗子５４ａを備えていることも好適である。【００６５】  図５Ａおよび図５Ｂに示すように、鉗子５４ａは、管路５２の先端部に一体的に形成された固定ジョー７４と、可動ジョー７６とを備えている。可動ジョー７６は、固定ジョー７４に対して枢支ピン７８によって開閉可能に枢支されている。【００６６】  可動ジョー７６には、ジョー開閉ワイヤ８０の先端部が固定された支持部８２が配設されている。この開閉ワイヤ８０は、管路５２の軸方向に沿って管路５２の外部に形成された筒体５２ａに内挿されている。この開閉ワイヤ８０の基端部は、図示しないワイヤ進退機構（開閉機構）に配設されている。このワイヤ進退機構は吸引機構５６に並設されている。このため、ワイヤ進退機構によって開閉ワイヤ８０が管路５２の先端部側に移動すると、固定ジョー７４に対して可動ジョー７６が開く。逆に、管路５２の基端部側に移動すると、固定ジョー７４に対して可動ジョー７６が閉じる。【００６７】  上述したように、生体組織採取器具１４の採取部５４の鉗子５４ａを内視鏡１２の処置具挿通チャンネルを通して所望の生体組織８４の近傍に配置する。ワイヤ進退機構を操作して鉗子５４ａの固定ジョー７４に対して可動ジョー７６を開く。この状態で鉗子５４ａの先端を生体組織に押し付ける。【００６８】  ワイヤ進退機構を操作して鉗子５４ａの固定ジョー７４に対して可動ジョー７６を閉じる。そうすると、可動ジョー７６の縁部の刃部７６ａと固定ジョー７４の縁部とによって挟持された生体組織８４が切断される。切断された生体組織８４ａは、鉗子５４ａの内部に取り込まれる。【００６９】  この状態で吸引機構５６を操作して生体組織を吸引する。そうすると、吸引した生体組織は、管路５２の内部の凸部７０に多数回衝突して破砕されて、最終的には細胞レベルまで分解される。【００７０】  なお、ここでは、固定ジョー７４に対して可動ジョー７６が開閉可能である片開きタイプの鉗子５４ａについて説明したが、両開きタイプであっても良い。刃部７６ａは、ギザギザ状など、種々の形状が許容される。また、採取部５４は、鉗子と穿刺針とを組み合わせた形状の針付鉗子であることも好適である。この場合、穿刺針を生体組織に穿刺した状態で所望の生体組織が鉗子によって採取される。【００７１】  次に、第２の実施の形態について図６を用いて説明する。この実施の形態は、第１の実施の形態の変形例であって、第１の実施の形態で説明した部材と同一の作用を有する部材に��いては同一の符号を付し、詳しい説明を省略する。【００７２】  図６には、図１に示す内視鏡１２を用いずに経皮的に生体組織を採取する生体組織採取器具１４を示す。この生体組織採取器具１４は、硬質の管路５２と、この管路５２の先端部に設けられた採取部５４と、管路５２の基端部に設けられた吸引機構５６とを備えている。【００７３】  図６に示すように、採取部５４は、中空の穿刺針として形成されている。管路５２と採取部５４とは一体的に形成されている。この採取部５４の外径は、例えば０．７ｍｍ（注射針の規格２２Ｇに相当）である。採取部５４および管路５２の最大内径は共に０．３ｍｍである。採取部５４および管路５２に使用される材質については特に制限は無いが、例えばステンレス鋼材や耐食性樹脂材などが用いられることが好適であるが、特にステンレス鋼材を用いることが好適である。【００７４】  管路５２の先端部に採取部５４が一体化した中空の管状体の長さは例えば８０ｍｍである。すなわち、この実施の形態の管路５２と採取部５４とを合わせた管状体の長さは、第１の実施の形態で説明した管状体の長さよりも十分に短く形成されている。【００７５】  管路５２の内壁部には、例えば２０個の凸部７０が不均一に形成されている。凸部７０の形状は例えば第１の実施の形態で説明したものと同様である。【００７６】  次に、この実施の形態に係る生体組織採取器具１４の作用について説明する。
この生体組織採取器具１４の採取部５４を生体に対して経皮的に穿刺する。この状態で吸引機構５６のバレル６２に対してプランジャ６４を手元側に引く。採取部５４の穿刺針の内腔、および管路５２の内腔を通して生体組織が吸引される。このとき採取された組織は、管路５２の内壁面に設けられた凸部７０に多数回衝突して破砕される。多数回衝突することによって、生体組織が細胞レベルまで分解される。分解された生体組織は管路５２の内腔や吸引機構５６のバレル６２の内腔に保持される。【００７７】  生体組織採取器具１４の採取部５４を生体組織から引き抜く。一方、吸引により分解された生体組織は、生体組織採取器具１４から取り出されて病理診断などの検査や生化学分析、ゲノム解析等が行なわれる。【００７８】  以上説明したように、この実施の形態によれば、以下のことが言える。
生体組織採取器具１４の管路５２の内壁部に多数の凸部７０を設けたので、生体組織の吸引時に凸部７０に多数回衝突して破砕され、最終的には細胞レベルまで分解される。このため、病理診断などの検査や生化学分析、ゲノム解析等を行なう際の核酸抽出処理前の生体組織の破砕処理を行なう手間を省くことができる。このように、内視鏡１２（図１参照）を用いない、経皮的に生体組織を採取する場合であっても、第１の実施の形態と同様な効果を得ることができる。【００７９】  なお、この実施の形態では、採取部５４に中空の穿刺針の代わりに中空の採取チューブを用いることも可能である。この採取チューブの形状は、例えば図３や図６に示す採取部５４と同様である。この採取チューブの外径寸法は、特に限定されるものではないが、通常は外径１ｍｍから１０ｍｍ程度、内径０．５ｍｍから８ｍｍ程度である。この採取チューブの材質は軟質のプラスチック類やゴム類であることが好適である。このような採取チューブを用いる場合、生体内の導管（例えば、膵管、胆管等）に挿入して使用する。そして、生体内の導管から分泌液を採取し、さらに、フィルター（図示せず）により分泌液から剥離組織や細胞を分離して、その後の検査を行なうことができる。ところで、この実施の形態は、内視鏡１２を用いない例について説明したが、中空の採取チューブを採取部５４に有する生体組織採取器具１４を内視鏡１２の処置具挿通チャンネルを挿通させて用いて生体内の導管に挿入して使用することも好適である。【００８０】  次に、第３の実施の形態について図７を用いて説明する。この実施の形態は、第１および第２の実施の形態に係る生体組織採取器具１４の変形例であって、第１および第２の実施の形態で説明した部材と同一の部材には同一の符号を付し、詳しい説明を省略する。すなわち、管路５２が内視鏡１２の挿入部２２の長さよりも長く、可撓性を有していれば内視鏡システム１０として内視鏡１２とともに使用することが可能であり、管路５２が硬質に形成されていれば、生体組織採取器具１４を単体で経皮的に使用可能である。以下、第４ないし第１１の実施の形態でも同様である。【００８１】  図７に示すように、この実施の形態に係る生体組織採取器具１４の吸引機構５６のバレル６２の内部には、例えばＲＮＡの劣化を防止する安定化薬剤（保存溶液）８８が溜められている。【００８２】  生体組織採取器具１４によって吸引されて分解された生体組織は、バレル６２の内部で安定化薬剤８８と混合される。このため、分解された生体組織は安定に保たれる。【００８３】  以上説明したように、この実施の形態によれば、以下のことが言える。
採取した生体組織をその場で破砕して細胞レベルまで分解し、かつ、その細胞を安定化薬剤８８によって安定化させることができるので、核酸抽出処理前の生体組織の破砕処理を行なう手間を省くことができる。【００８４】  次に、第４の実施の形態について図８を用いて説明する。この実施の形態は、第１ないし第３の実施の形態に係る生体組織採取器具１４の変形例である。
図８に示すように、管路５２の基端部と吸引機構５６のバレル６２との間には、容器９０が配設されている。この容器９０は、管路５２の基端部と吸引機構５６のバレル６２とに接続されるコネクタ部９２ａ，９２ｂを備えている。この容器９０内は空気のみでも良いし、例えばＲＮＡの劣化を防止する安定化薬剤（保存溶液）８８が溜められていても良い。【００８５】  吸引機構５６によって吸引されて分解された生体組織は容器９０の中に保管される。吸引完了後は管路５２および吸引機構５６と容器９０のコネクタ部９２ａ，９２ｂとの間の接続状態を解除し、その容器９０のコネクタ部９２ａ，９２ｂに栓をして搬送する。【００８６】  したがって、容器９０を容易に搬送することができる。すなわち、分解した生体組織を容易に搬送することができる。また、容器９０が分離可能であるので、分解された生体組織をその容器９０から容易に取り出すことができる。【００８７】  次に、第５の実施の形態について図９Ａおよび図９Ｂを用いて説明する。この実施の形態は、第１ないし第４の実施の形態に係る生体組織採取器具１４の変形例である。
図９Ａに示すように、管路５２の基端部には、弁機構（流路切り替え弁）１０２が配設されている。この弁機構１０２は、管路５２とバレル６２とを連通させ、生体組織を吸引可能な連通状態と、管路５２とバレル６２との間の連通状態を遮断し、生体組織の吸引を遮断する遮断状態とに切替可能な開閉ノブ１０４を備えている。この弁機構１０２は、遮断状態のときにバレル６２に連通する流路１０６を有するハウジング１０８を備えている。【００８８】  このハウジング１０８には、容器１１０が着脱可能である。ハウジング１０８には、容器１１０が装着された状態で容器１１０の内腔に連通する圧力開放口１１２が形成されている。【００８９】  次に、この実施の形態に係る生体組織採取器具１４の作用について説明する。
弁機構１０２の開閉ノブ１０４を操作し、連通状態とする。この状態で、生体組織を吸引する。このとき、吸引した生体組織はバレル６２の内腔に一旦溜められる。【００９０】  吸引終了後、弁機構１０２の開閉ノブ１０４を操作し、遮断状態に切り替える。この状態でバレル６２に対してプランジャ６４を押し込む。このため、バレル６２の内腔に溜められた生体組織はバレル６２から吐出される。生体組織は、バレル６２に連通した弁機構１０２の流路１０６を通して容器１１０に吐出されてその容器１１０に溜められる。したがって、細胞レベルまで分解された生体組織は、容器１１０の内腔に保管される。このとき、プランジャ６４のバレル６２に対する押圧によって生体組織が流路１０６から吐出されても、圧力開放口１１２によって容器１１０内の圧力が外部に対して高められることが防止される。【００９１】  生体組織を容器１１０に保管した後、容器１１０を弁機構１０２のハウジング１０８から取り外す。容器１１０に蓋（図示せず）をして病理診断などの検査や生化学分析、ゲノム解析等を行なうために搬送する。【００９２】  弁機構１０２を設けたことによって、分解された生体組織を容器１１０に容易に取り出すことができる。また、この容器１１０は、容易に搬送することができる。【００９３】  次に、第６の実施の形態について図１０を用いて説明する。この実施の形態は、第５の実施の形態に係る生体組織採取器具１４の変形例である。
図１０に示すように、弁機構１０２は、第１のスライドハウジング１１４ａを備えている。この第１のスライドハウジング１１４ａには、カートリッジ機構（流路切替機構）１１６が配設されている。このカートリッジ機構１１６は、第１のスライドハウジング１１４ａに対してスライドすることにより、上述した流路１０６に選択的に連通可能な第１ないし第３の連通路１１８ａ，１１８ｂ，１１８ｃを有する第２のスライドハウジング１１４ｂを備えている。すなわち、第２のスライドハウジング１１４ｂは、第１のスライドハウジング１１４ａに対してスライド可能である。各連通路１１８ａ，１１８ｂ，１１８ｃには、それぞれ容器１１０ａ，１１０ｂ，１１０ｃを着脱可能である。【００９４】  次に、この実施の形態に係る生体組織採取器具１４の作用について説明する。
カートリッジ機構１１６の第２のスライドハウジング１１４ｂを弁機構１０２の第１のスライドハウジング１１４ａに対してスライド可能に装着する。第２のスライドハウジング１１４ｂの第１ないし第３の連通路１１８ａ，１１８ｂ，１１８ｃに対してそれぞれ容器１１０ａ，１１０ｂ，１１０ｃを装着する。【００９５】  弁機構１０２の開閉ノブ１０４を操作して連通状態にする。生体組織に採取部５４を穿刺して、吸引機構５６を用いてバレル６２の内腔まで生体組織を吸引する。採取部５４を生体組織から抜いておく。【００９６】  ここで、弁機構１０２の第１のスライドハウジング１１４ａに対して、カートリッジ機構１１６の第２のスライドハウジング１１４ｂをスライドさせて、流路１０６と第１の連通路１１８ａとを連通状態にしておく。【００９７】  弁機構１０２の開閉ノブ１０４を操作して遮断状態に切り替える。バレル６２の内腔に溜められた生体組織は、プランジャ６４によって吐出される。生体組織は、バレル６２から弁機構１０２の流路１０６、カートリッジ機構１１６の第１の連通路１１８ａを通して容器１１０ａに吐出されてその容器１１０ａに溜められる。このとき、バレル６２に溜められた生体組織の例えば全部を第１の連通路１１８ａを通して容器１１０ａに溜めるようにすることが好ましい。【００９８】  生体組織に対して再び採取部５４を穿刺する。弁機構１０２の開閉ノブ１０４を操作して連通状態に切り替える。生体組織を吸引機構５６を用いてバレル６２まで吸引する。採取部５４を生体組織から抜いておく。【００９９】  弁機構１０２の第１のスライドハウジング１１４ａに対してカートリッジ機構１１６の第２のスライドハウジング１１４ｂをスライドさせて、流路１０６と第２の連通路１１８ｂとを連通させる。開閉ノブ１０４を操作して遮断状態に切り替える。この状態でバレル６２に対してプランジャ６４を押圧する。生体組織は、バレル６２から弁機構１０２の流路１０６、カートリッジ機構１１６の第２の連通路１１８ｂを通して容器１１０ｂに吐出されてその容器１１０ｂに溜められる。このとき、バレル６２内に生体組織の一部を残しておく。【０１００】  弁機構１０２の第１のスライドハウジング１１４ａに対してカートリッジ機構１１６の第２のスライドハウジング１１４ｂをスライドさせて、流路１０６と第３の連通路１１８ｃとを連通させる。この状態でバレル６２に対してさらにプランジャ６４を押圧する。生体組織は、バレル６２から弁機構１０２の流路１０６、カートリッジ機構１１６の第３の連通路１１８ｃを通して容器１１０ｃに吐出させてその容器１１０ｃに生体組織を溜められる。【０１０１】  第２のスライドハウジング１１４ｂからそれぞれ容器１１０ａ，１１０ｂ，１１０ｃを取り外す。容器１１０ａ，１１０ｂ，１１０ｃにそれぞれ蓋（図示せず）をして搬送する。【０１０２】  このため、容器１１０ａと、容器１１０ｂ，１１０ｃとには、異なる部位の生体組織を採取したことになる。すなわち、異なる部位の生体組織を連続的に容器１１０ａ，１１０ｂ，１１０ｃに保管することができる。【０１０３】  また、容器１１０ｂ，１１０ｃに保管した生体組織は、同一の部位から採取したものである。生体組織を異なる解析法で解析する場合に、一旦吸引機構５６のバレル６２に溜められた生体組織を複数の容器１１０ｂ，１１０ｃに分注することができる。したがって、分注するときのコンタミネーションを防止することができ、より正確な解析を行なうことが可能となる。【０１０４】  なお、解析法に応じて容器１１０ａ，１１０ｂ，１１０ｃに予めそれぞれ異なる試薬（図示せず）や、安定化薬剤（図示せず）等を溜めておいても良い。【０１０５】  以上説明したように、この実施の形態によれば、以下のことが言える。
異なる箇所からの生体組織の採取ごとに異なる容器１１０ａ，１１０ｂ，１１０ｃに対して連続的に生体組織を保管することができる。【０１０６】  生体組織を複数の解析法で解析するような目的の場合、一旦吸引機構５６に溜められた生体組織を複数の容器１１０ａ，１１０ｂ，１１０ｃに分注することができる。このため、容器１１０ａ，１１０ｂ，１１０ｃ内から分注するときのコンタミネーションを防止することができる。したがって、生体組織を解析するときに、より正確な解析を行なうことができる。【０１０７】  なお、この実施の形態では、カートリッジ機構１１６の第２のスライドハウジング１１４ｂを弁機構１０２の第１のスライドハウジング１１４ａに対してスライドさせることについて説明したが、両者が回転式であってもよい。また、第２のスライドハウジング１１４ｂに形成される連通路は３つに限ることはなく、生体組織の解析を行なう種類によって適宜に変化される。【０１０８】  次に、第７の実施の形態について図１１を用いて説明する。この実施の形態は、第１の実施の形態に係る生体組織採取器具１４の変形例である。【０１０９】  図１１に示すように、吸引機構５６のバレル６２の内腔には、生体組織の吸引時に生体組織の一部を捕捉するフィルター１２２が配設されている。このフィルター１２２は、生体組織親和性化合物を管路５２側の表面に備えている。生体組織親和性化合物として、ここでは、例えばガン細胞に特異的な抗体であるガン細胞捕捉抗体を使用するものとして説明する。すなわち、フィルター１２２には、ガン細胞捕捉抗体が固定されている。【０１１０】  第１の実施の形態で説明したように、管路５２の内部に採取部５４で採取されて細胞レベルまで破砕された生体組織は、バレル６２内のフィルター１２２を通過するときに、そのフィルター１２２にガン細胞のみが捕捉される。【０１１１】  吸引終了後にバレル６２の内腔からフィルター１２２を取り外す。このとき、このフィルター１２２にはガン細胞のみが捕捉されているので、ガン細胞だけを容易に取り出すことができる。【０１１２】  なお、この実施の形態では、吸引機構５６のバレル６２にフィルター１２２を配設することについて説明したが、管路５２内にフィルター１２２を配設しても良い。【０１１３】  次に、第８の実施の形態について図１２を用いて説明する。この実施の形態は、第５ないし第７の実施の形態に係る生体組織採取器具１４の変形例である。
図１２に示すように、弁機構１０２の流路１０６を有するハウジング１０８には、生体組織の吸引時に生体組織の一部を捕捉するフィルター１２２が流路１０６を遮断するように配設されている。【０１１４】  このため、一旦吸引機構５６のバレル６２に生体組織が溜められた後、第５の実施の形態で説明したように、弁機構１０２の開閉ノブ１０４を遮断状態に切り替えて容器１１０に生体組織を吐出させる。その際、フィルター１２２には、ガン細胞のみが捕捉され、それ以外の生体組織は容器１１０に溜められる。【０１１５】  バレル６２から容器１１０に対して生体組織を吐出させた後、弁機構１０２のハウジング１０８からフィルター１２２を取り外す。このとき、このフィルター１２２にはガン細胞のみが捕捉されているので、ガン細胞だけを取り出すことができる。【０１１６】  次に、第９の実施の形態について図１３を用いて説明する。この実施の形態は、第７および第８の実施の形態に係る生体組織採取器具１４の変形例である。
図１３に示すように、吸引機構５６のバレル６２の内壁部には、例えばガン細胞に特異的な抗体を固定した磁気ビーズ１２６が配設されている。このバレル６２の外側であって、磁気ビーズ１２６の外側には、永久磁石１２８が配設されている。吸引機構５６を用いて生体組織を吸引するときに、ガン細胞が存在している場合、ガン細胞は特異的にその磁気ビーズ１２６に結合する。ガン細胞が結合した磁気ビーズ１２６は、磁石１２８によって一定の場所に集められる。このため、ガン細胞のみを取り出すことができる。【０１１７】  なお、この実施の形態では、永久磁石１２８を用いることを説明したが、電磁石を用いても良い。この場合、通電によって磁場を発生させることができるので、より使い易い。【０１１８】  また、ここでは図示しないが、磁気ビーズ１２６や磁石１２８は、第４ないし第６、および第８の実施の形態で説明した弁機構１０２の流路１０６や、容器１１０などに配設されていることも好適である。【０１１９】  次に、第１０の実施の形態について図１４を用いて説明する。この実施の形態は、第１の実施の形態に係る生体組織採取器具１４の変形例である。
図１４に示すように、吸引機構５６のバレル６２の外側には、冷却機構１３０が装着されている。この冷却機構１３０には、ケーブル１３２を介してコントローラー１３４が接続されている。冷却機構１３０の冷却方法に制限はないが、例えばペルチエ素子などの電子デバイスを用いた冷却法が小型であり好ましい。【０１２０】  吸引機構５６による吸引時にバレル６２の内腔に採取された生体組織は、コントローラー１３４によって温度制御された冷却機構１３０によって例えば凍結される。このように生体組織の採取からその場で細胞レベルまで破砕し、そのまま凍結等によって安定化させることで細胞の劣化を防止し、さらに核酸抽出処理前の組織破砕の手間を省くことができる。【０１２１】  なお、この実施の形態では、冷却機構１３０を吸引機構５６のバレル６２の外側に装着することについて説明したが、例えば第４ないし第６および第８の実施の形態で説明した容器９０，１１０，１１０ａ，１１０ｂ，１１０ｃの外側に装着しても良い。【０１２２】  次に、第１１の実施の形態について図１５Ａおよび図１５Ｂを用いて説明する。この実施の形態は第１の実施の形態の変形例である。
図１５Ａに示すように、管路５２の凸部７１は連続して形成されている。このため、凸部７１は、例えば雌ネジを作製するように形成される。【０１２３】  図１５Ｂに示すように、管路５２は、圧搾された凸部７２ａと、これら凸部７２ａに対して圧搾されなかった凹部７２ｂとを備えている。このため、管路５２の内径は、連続的に変化される。なお、圧搾状態を変化させることによって、凸部７２ａの高さを均一にしたり、不均一にしたりすることができる。このため、凸部７２ａをランダムな位置にランダムな大きさに成型し易い。【０１２４】  これまで、いくつかの実施の形態について図面を参照しながら具体的に説明したが、この発明は、上述した実施の形態に限定されるものではなく、その要旨を逸脱しない範囲で行なわれるすべての実施を含む。
【産業上の利用可能性】
【０１２５】  本発明によれば、採取した生体組織を簡便かつ迅速に破砕し得、例えば病理検査や生化学分析、ゲノム解析等を行なう準備時間の短縮を図ることができる生体組織採取器具、内視鏡システムおよび生体組織採取方法を提供することができる。
【図１】
2006030596.tif 000002
【図２】
2006030596.tif 000003
【図３】
2006030596.tif 000004
【図４】
2006030596.tif 000005
【図５Ａ】
2006030596.tif 000006
【図５Ｂ】
2006030596.tif 000007
【図６】
2006030596.tif 000008
【図７】
2006030596.tif 000009
【図８】
2006030596.tif 000010
【図９Ａ】
2006030596.tif 000011
【図９Ｂ】
2006030596.tif 000012
【図１０】
2006030596.tif 000013
【図１１】
2006030596.tif 000014
【図１２】
2006030596.tif 000015
【図１３】
2006030596.tif 000016
【図１４】
2006030596.tif 000017
【図１５Ａ】
2006030596.tif 000018
【図１５Ｂ】
2006030596.tif 000019
【国際調査報告】
2006030596.tif 000020
2006030596.tif 000021
2006030596.tif 000022
2006030596.tif 000023